(57)【特許請求の範囲】
【請求項１】
通信信号及び干渉信号を含む無線信号を受信するように構成された、それぞれがアンテナ出力信号を提供する複数のアンテナと、
処理済み無線信号を生成するために信号品質フィードバック信号に基づきアンテナ出力信号を処理するように構成された無線信号プロセッサと、
前記処理済み無線信号を処理済み下りリンク信号として移動無線通信装置に送信するように構成されたユーザ装置（ＵＥ）通信インターフェイスと、
前記移動無線通信装置から前記信号品質フィードバック信号を受信するように構成された信号品質フィードバックインターフェイスとを備え、
前記信号品質フィードバック信号は、
前記移動無線通信装置で受信された前記処理済み下りリンク信号の特性を示し、
前記移動無線通信装置によって実行されたチャネル推定の結果を示し、
信号対雑音比（ＳＮＲ）、信号対干渉雑音比（ＳＩＮＲ）、信号対干渉比（ＳＩＲ）、ビット誤り率（ＢＥＲ）及びこれらの組み合わせから選択された信号品質インジケータを含む装置。
【請求項２】
前記処理済み下りリンク信号は、通信周波数帯域内に送信され、
前記信号品質フィードバック信号は前記通信周波数帯域外に受信される請求項１に記載の装置。
【請求項３】
前記処理済み下りリンク信号は、第一無線通信規格に従って送信され、
前記信号品質フィードバック信号は、前記第一無線通信規格と異なる第二無線通信規格に従って受信される請求項１に記載の装置。
【請求項４】
前記信号品質フィードバック信号は、米国電気電子学会（ＩＥＥＥ（Ｉｎｓｔｉｔｕｔｅｏｆ  Ｅｌｅｃｔｒｉｃａｌ  ａｎｄ  Ｅｌｅｃｔｒｏｎｉｃｓ  Ｅｎｇｉｎｅｅｒｓ））により規定されたＩＥＥＥ８０２．１１通信規格に従う請求項３に記載の装置。
【請求項５】
通信信号及び干渉信号を含む無線信号を受信するように構成された、それぞれがアンテナ出力信号を提供する複数のアンテナと、
処理済み無線信号を生成するために前記アンテナ出力信号を処理するように構成された無線信号プロセッサと、
前記処理済み無線信号を処理済み下りリンク信号として通信周波数帯域内で移動無線通信装置に送信することを特性とするユーザ装置（ＵＥ）通信インターフェイスと、
前記移動無線通信装置から通信周波数帯域外で信号品質フィードバックを受信する信号品質フィードバックインターフェイスとを有し、
前記信号品質フィードバック信号は、前記移動無線通信装置で受信された前記処理済み下りリンク信号の特性を示し、
前記無線信号プロセッサは、前記信号品質フィードバック信号に基づき前記アンテナ出力信号を処理する装置。
【請求項６】
通信信号及び干渉信号を含む無線信号を受信するように構成された、それぞれがアンテナ出力信号を提供する複数のアンテナと、
処理済み無線信号を生成するために前記アンテナ出力信号を処理するように構成された無線信号プロセッサと、
前記処理済み無線信号を処理済み下りリンク信号として、第一無線通信規格に従って移動無線通信装置に送信するように構成されたユーザ装置（ＵＥ）インターフェイスと、
前記移動無線通信装置から信号品質フィードバック信号を、前記第一無線通信規格と異なる第二無線通信規格に従って受信する信号品質フィードバックインターフェイスとを有し、
前記信号品質フィードバック信号は、前記移動無線通信装置で受信された前記処理済み下りリンク信号の特性を示し、
前記無線信号プロセッサは、前記信号品質フィードバック信号に基づき前記アンテナ出力信号を処理するように構成された装置。
【請求項７】
前記信号品質フィードバック信号は米国電気電子学会（ＩＥＥＥ（Ｉｎｓｔｉｔｕｔｅｏｆ  Ｅｌｅｃｔｒｉｃａｌ  ａｎｄ  Ｅｌｅｃｔｒｏｎｉｃｓ  Ｅｎｇｉｎｅｅｒｓ））により規定されたＩＥＥＥ８０２．１１通信規格に従う請求項６に記載の装置。
【請求項８】
前記無線信号プロセッサは更に、前記処理済み無線信号を生成するために、重み付けされた前記アンテナ出力信号を加算する前に、前記アンテナ出力信号の位相を調節するように前記アンテナ出力信号に対して重み付けを行うことによって、前記アンテナ出力信号を処理するように構成された請求項１、５、又は６に記載の装置。
【請求項９】
前記処理済み無線信号を生成するために、前記加算された重み付けされたアンテナ出力信号を増幅するように構成された増幅器を更に備える請求項８に記載の装置。
【請求項１０】
前記信号品質フィードバック信号が前記移動無線通信装置により実行されたチャネル推定の結果を示す請求項５又は６に記載の装置。
【請求項１１】
前記無線信号プロセッサは、前記アンテナ出力信号のアナログ・デジタル変換処理を行わずに前記処理済み無線信号を生成する請求項１、５、又は６に記載の装置。
【請求項１２】
通信信号及び干渉信号を含む無線信号を複数のアンテナのそれぞれを介して受信し、それぞれのアンテナがアンテナ出力信号を提供し、
処理済み無線信号を生成するために信号品質フィードバック信号に基づき前記アンテナ出力信号を処理し、
前記処理済み無線信号を処理済み下りリンク信号として移動無線通信装置に送信し、
前記移動無線通信装置から前記信号品質フィードバック信号を受信し、
前記信号品質フィードバック信号は、
前記移動無線通信装置で受信された前記処理済み下りリンク信号の特性を示し、
前記移動無線通信装置によって実行されたチャネル推定の結果を示し、
信号対雑音比（ＳＮＲ）、信号対干渉雑音比（ＳＩＮＲ）、信号対干渉比（ＳＩＲ）、ビット誤り率（ＢＥＲ）及びこれらの組み合わせから選択された信号品質インジケータを含む方法。
【請求項１３】
通信信号及び干渉信号を含む無線信号を複数のアンテナのそれぞれを介して受信し、それぞれのアンテナがアンテナ出力信号を提供し、
処理済み無線信号を生成するために信号品質フィードバック信号に基づき前記アンテナ出力信号を処理し、
前記処理済み無線信号を処理済み下りリンク信号として通信周波数帯域内で移動無線通信装置に送信し、
前記移動無線通信装置から前記信号品質フィードバック信号を前記通信周波数帯域外で受信し、
前記信号品質フィードバック信号は、前記移動無線通信装置で受信された前記処理済み下りリンク信号の特性を示す方法。
【請求項１４】
通信信号及び干渉信号を含む無線信号を複数のアンテナのそれぞれを介して受信し、それぞれのアンテナがアンテナ出力信号を提供し、
処理済み無線信号を生成するために信号品質フィードバック信号に基づき前記アンテナ出力信号を処理し、
前記処理済み無線信号を処理済み下りリンク信号として第一無線通信規格に従って移動無線通信装置に送信し、
前記移動無線通信装置から前記信号品質フィードバック信号を前記第一無線通信規格と異なる第二無線通信規格に従って受信し、
前記信号品質フィードバック信号は、前記移動無線通信装置で受信された前記処理済み下りリンク信号の特性を示す方法。
【請求項１５】
前記信号品質フィードバック信号は米国電気電子学会（ＩＥＥＥ（Ｉｎｓｔｉｔｕｔｅｏｆ  Ｅｌｅｃｔｒｉｃａｌ  ａｎｄ  Ｅｌｅｃｔｒｏｎｉｃｓ  Ｅｎｇｉｎｅｅｒｓ））により規定されたＩＥＥＥ８０２．１１通信規格に従う請求項１４に記載の方法。
【請求項１６】
重み付けされたアンテナ出力信号を生成するために、前記アンテナ出力信号の位相を調整するように前記アンテナ出力信号に対して重み付けを行うことを更に含む処理を有する請求項１２乃至１４の何れか一項に記載の方法。
【請求項１７】
前記処理済み無線信号を生成するために、前記加算された重み付けされたアンテナ出力信号を増幅することを更に有する請求項１６に記載の方法。
【請求項１８】
前記信号品質フィードバック信号は、前記移動無線通信装置により実行されたチャネル推定の結果を示す請求項１３又は１４に記載の方法。
【請求項１９】
前記処理は、アンテナ出力信号のアナログ・デジタル変換処理を行わずに前記処理済み無線信号を生成することを含む請求項１２乃至１４の何れか一項に記載の方法。
【発明の詳細な説明】
【技術分野】
【０００１】
本発明は、無線通信に関し、より具体的には端末フィードバック信号に基づいた信号中継器に関する。
【背景技術】
【０００２】
リレー及び中継器は、元々送信された信号が弱いエリアにおいて、信号強度を増加させるために信号を受信、増幅及び再送信をする。一般的に、中継器はベースバンド処理を実行しないリレーである。リレー及び中継器は通常、ビルの中、谷の中又は信号が自然的若しくは人工的に作られた構造によって妨げられたエリア等、受信信号電力が非常に弱いエリアの中においてカバレッジを提供する。しかし、従来のリレーは干渉波が存在している時には往々にして効果的でない。
【発明の概要】
【０００３】
以下に説明する実施形態によれば、本実施形態における装置は、移動無線通信装置によって提供された信号品質情報に従い、複数のアンテナを介して基地局から受信された信号を前記移動無線通信装置に再送信する前に処理する。前記装置は、通信信号及び干渉信号を含む無線信号を受信するように構成された複数のアンテナを備える。それぞれのアンテナが処理済み無線信号を生成するために前記装置の無線信号プロセッサによって処理されたアンテナ出力信号を提供する。ユーザ装置（ＵＥ）通信インターフェイスは、基地局に使われる通信周波数帯域以外の周波数帯域内で前記処理済み無線信号を前記移動無線通信装置に送信するように構成される。信号品質フィードバックインターフェイスは、前記移動無線通信装置から前記移動無線通信装置で受信された前記処理済み無線信号の特性を示す無線フィードバック信号を受信する。前記無線信号プロセッサは、前記移動無線通信装置で受信された干渉信号を最小化するために前記無線フィードバック信号に基づき前記アンテナ出力信号を合成する。
【図面の簡単な説明】
【０００４】
【図１】図１は、通信システム内で動作する中継装置を示すブロック図である。
【図２】図２は、通信システム内で動作する中継装置において無線信号プロセッサが前記アンテナ出力に対して重み付けを行い合成する一例を示すブロック図である。
【図３】図３は、前記基地局と前記移動無線通信装置間の通信のための前記通信システムに使われている前記通信周波数帯域以外の前記信号品質フィードバック信号を表す周波数スペクトルを示すグラフ図である。
【図４】図４は、信号を処理及び再送信する方法を示すフローチャートである。
【発明を実施するための形態】
【０００５】
図１は通信システム１０２内で動作する中継装置１００を示すブロック図である。通信システム１０２は少なくとも一つの基地局１０４を含み、一般的には複数の基地局１０４、１０６を含み、基地局は地理的サービスエリアにおいて移動無線通信装置１０８、１１０に無線サービスを提供する。典型的な実施形態において、システム１０２は直交波周波数変調（ОＦＤМ（ｏｒｔｈｏｇｏｎａｌ  ｆｒｅｑｕｅｎｃｙ  ｄｉｖｉｓｉｏｎ  ｍｏｄｕｌａｔｉｏｎ））技術に従って動作する。但し、システム１０２は、例えば、ＣＤМＡ（Ｃｏｄｅ  Ｄｉｖｉｓｉｏｎ  Ｍｕｌｔｉｐｌｅ  Ａｃｃｅｓｓ）等、他の無線技術及びプロトコルに従って動作してもよい。
【０００６】
移動無線通信装置１０８、１１０は、例えば、携帯電話、スマートフォーン又はパーソナル・デジタル・アシスタント等、任意のユーザ装置であってもよい。このような装置は、ユーザ装置（ＵＥ）、ハンドセット、移動装置又は携帯電話、その類の用語と呼ばれてもよい。以下に記載される詳細な説明の通り、それぞれの無線通信装置１０８、１１０は、一つ又は複数の基地局と無線信号を交換するための無線通信送受信機及び中継装置１００に信号品質フィードバック信号を送信するための信号フィードバック送信機を含む。
【０００７】
中継装置１００は、システム１０２によって改善された無線通信カバレッジを助長するための場所に配置される。一つ又は複数の基地局１０４、１０６からの信号１１２、１１４は、複数のアンテナ１１６、１１８を介して受信され、合成され、増幅され及び送信される。図１の例の説明に当たって、基地局１０４、１０６は通信基地局１０４及び干渉波基地局１０６と呼ばれる。通信基地局１０４に送信される信号１１２は所望の信号であって、干渉波基地局１０６に送信される信号１１４は不要な干渉信号である。通信基地局１０４は少なくとも、中継装置１００から信号を受信する一つの移動無線通信装置１０８と通信する。他の多数の基地局が他の状況において存在してもよいが、明瞭さ及び簡潔さのために、本説明は二つの基地局とする。このように、例えば、干渉信号１１４は中継装置１００の周辺にある二つ又はそれ以上の干渉波基地局から受信されてもよい。
【０００８】
信号１１２、１１４は複数のアンテナ１１６、１１８から受信され、アンテナ１１６、１１８は個別アンテナであってもよく、又は単一アンテナの異なるアンテナ素子であってもよい。それぞれのアンテナは受信した信号に基づきアンテナ出力１２０、１２２を生成する。無線信号プロセッサ１２４は、信号品質フィードバックインターフェイス１３０を介して、少なくとも一つの移動無線通信装置１０８、１１０から受信された信号品質フィードバック信号１２６、１２８に基づきアンテナ出力１２０、１２２を合成する。他の処理はいくつかの環境において使用されてもよいが、アンテナ出力信号１２０、１２２は重み付けされ及び加算される。任意のいくつかの公知されたアンテナウェイト技術が使用されてもよい。適切な技術の一例は位相配列の合成を含み、上記の例において位相の調整はアンテナ出力信号１２０、１２２のために行い、信号が合成された際に干渉波が減少するようになる。位相の調整は干渉波の破壊的な合成及び／又は所望波の建設的な合成という結果をもたらす。
【０００９】
結果として生じた処理済み無線信号１３１は、下りリンク信号１３２として、一つ又は複数のアンテナ１３６を介してユーザ装置通信インターフェイス１３４によって増幅され、送信される。下りリンク信号１３２は、下りリンク信号１３２の品質を決定する無線通信装置１０８、１１０によって受信され、評価される。それぞれの無線通信装置１０８、１１０は、下りリンク信号１３２の品質を示す信号品質フィードバック信号１２６、１２８を送信する。信号品質フィードバック信号１２６、１２８は、信号対雑音比（ＳＮＲ）、信号対干渉雑音比（ＳＩＮＲ）、信号対干渉比（Ｓ／Ｉ又はＳＩＲ）、ビット誤り率（ＢＥＲ）又は下りリンク信号の品質に係る他の情報を提供する品質測定値等の信号品質インジケータを含んでもよい。信号品質インジケータは、比率、測定値又は他の特性の組み合わせであってもよい。ここで説明した例において、品質インジケータはＳＩＮＲである。従来のシステムでは、移動無線通信装置が信号の品質測定値を決定し、下りリンク信号を送信することによって基地局に測定値又は関連インジケータを報告する。例えば、チャネル推定処理は移動無線通信装置によって実行され、処理の結果は一つ又は複数の基地局に報告される。よって、中継装置１００に送信のための信号品質のパラメータを決定する適切な技術の一例は基地局に送信のための従来のシステムに使われている同様のパラメータを使用することを含む。
【００１０】
信号品質フィードバック信号１２６、１２８は、基地局１０４、１０６と無線通信装置１０８、１１０との間の通信に使われる通信技術と異なる通信技術を使うことによって送信される。よって、通信信号１１２及び処理済み下りリンク信号１３２の送信は第一無線通信規格に従い、信号品質フィードバック信号１２６、１２８の送信は第二無線通信規格に従う。例えば、通信システム１０２は、基地局１０４、１０６及び移動無線通信装置の間の通信のための符号分割多元接続方式（ＣＤМＡ（Ｃｏｄｅ  Ｄｉｖｉｓｉｏｎ  Ｍｕｌｔｉｐｌｅ  Ａｃｃｅｓｓ））無線規格を使ってもよく、移動無線通信装置１０８、１１０はＩＥＥＥ（Ｉｎｓｔｉｔｕｔｅｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１無線通信規格を使って信号品質フィードバック信号１２６、１２８を送信してもよい。
【００１１】
ここで挙げた例において、信号品質フィードバック信号１２６、１２８は、通信信号１１２、１１４及び下りリンク信号１３２を送信するために使われる周波数帯域と異なる周波数帯域内で送信される。適切な技術の一例は、ＩＥＥＥ８０２．１１規格（ＷｉＦｉ（Ｗｉｒｅｌｅｓｓ  Ｆｉｄｅｌｉｔｙ））に従って動作した通信リンクを経由して信号品質フィードバック信号１２６、１２８を送信することを含む。他の信号品質フィードバック信号を搬送するための通信リンクの適切な技術の例は、無線ローカル・エリア・ネットワーク（ＷＬＡＮ）及びブルートゥース（Ｂｌｕｅｔｏｏｔｈ）やジグビー（Ｚｉｇｂｅｅ）等のパーソナル・エリア・ネットワーク（ＰＡＮ）技術を含む。
【００１２】
信号品質フィードバックインターフェイス１３０は、一つ又は複数のアンテナ１３８を介して、少なくとも一つの移動無線通信装置１０８から品質フィードバック信号１２６を受信する。無線信号プロセッサ１２４は信号品質フィードバック信号１２６によって提供された品質情報を適用してアンテナ出力１２０、１２２を処理する。ここに説明した例において、無線信号プロセッサ１２４は少なくとも部分的に品質情報に基づいてアンテナ出力１２０、１２２に対して重み付けを行う。調整及び重み付けを行うための適切な技術の例は、品質を向上するための重み付けを行うこと及び重み付けを調整することに係る品質情報のヒストリーを評価することを含む。よって、干渉波を最小化するために試行錯誤技法が適用されてもよい。
【００１３】
図２は、無線信号プロセッサ１２４がアンテナ出力１２０、１２２に対して重み付けを行い合成する、通信システム１０２内で動作する中継装置１００の一例を示すブロック図である。
【００１４】
上記の例において、無線信号プロセッサ１２４は信号に対して重み付けを行い合成する電子機器を含み、電子機器は信号品質フィードバック・パラメータに基づき信号の増幅、濾波、減衰及び合成を実行してもよい。他の電子機器及び機能ブロックがいくつかの環境に使われてもよい。各アンテナ出力は、第二高周波（ＲＦ（Ｒａｄｉｏ  Ｆｒｅｑｕｅｎｃｙ））フィルター２０６、２０８によって濾波される前に受信機フィルター２００、２０１によって濾波され、低雑音増幅器（ＬＮＡ（ｌｏｗ  ｎｏｉｓｅ  ａｍｐｌｉｆｉｅｒ））２０２、２０４によって増幅される。ＬＮＡ２０２、２０４の前の受信機フィルター２００、２０１は搬送波帯域に波長を合わせるために使われ、ＬＮＡ２０２、２０４の後のＲＦフィルター２０６、２０８は必要とされた場合のさらなる処理に一般的に使われる。
【００１５】
濾波された信号の振幅及び位相は複合重み付け調整器２１０、２１２によって調整される。複合重み付け調整器２１０、２１２は処理制御器２１４によって制御されることができる減衰器又は増幅器を含んでもよい。複合重み付け調整器２１０、２１２が増幅器を含む場合、各増幅器のゲインが処理制御器２１４によって提供された制御信号に基づき確立される。複合重み付け調整器２１０、２１２が可変な減衰器を含む環境においては、各減衰器の減衰のレベルが処理制御器２１４によって提供された制御信号に基づき確立される。複合重み付け調整器２１０、２１２は各アンテナ出力の位相を変動させるためのプログラム化可能な電子位相シフターをも含む。このような複合重み付け調整器は知られており、ビーム・フォーミングによく使われる。合成された振幅及び位相制御は、位相制御のみによる適用よりも、サイドローブのレベルを調整すること及びヌルステアリングを行うために用いることができる。位相を調整するために他の技術が使われてもよい。例えば、位相はアンテナごとに信号パスの長さを変動させることによって変えられてもよい。処理制御器２１４は任意のプロセッサ、制御器又は移動無線通信装置１０８、１１０によって受信された下りリンク信号の品質を向上させるために各可変な増幅器の所望のゲインを決定する他の電子機器の配置である。信号品質フィードバックインターフェイス１３０内の受信機２１６は、信号品質フィードバック信号１２６、１２８を受信し、移動無線通信装置１０８、１１０で受信された下りリンク信号１３２の信号品質パラメータを搬送するために信号又は他のインジケータを処理制御器２１４に提供する。
【００１６】
従って、処理制御器２１４はアンテナ出力信号に対して重み付けを行うために複合重み付け調整器２１０、２１２を制御する。合成器２１８は、ユーザ装置（ＵＥ）通信インターフェイス（ＵＥＣＩ）１３４に提供される合成された信号を生成するために重み付けされた信号を合成する。この例において、合成器２１８が重み付けされた信号を加算する。ＵＥＣＩ１３４は少なくとも、合成された信号を下りリンク信号１３２として、アンテナ１３６を介して移動無線通信装置１０８、１１０に送信する送信機２２０を含む。送信機２２０はフィルター及びアンテナ制御器等の他の装置及び電子機器を含んでもよいが、送信機２２０は少なくとも、アンテナ１３６を介しての送信の前に合成された信号を増幅するための増幅器２２４を含む。場合によっては、アンテナ１３６は複数の素子を含んでもよく又は複数のアンテナを含んでもよい。例えば、基地局が複数のアンテナを介して送信された原信号を送信する場合には複数のアンテナ１３６を含むことが有益であり得る。
【００１７】
処理制御器２１４は場合によって、追加のアルゴリズムを適用してもよいが、処理制御器２１４は移動無線通信装置１０８、１１０で受信された下りリンク信号の信号品質に基づき、フィードバック・ループを実施する。例えば、無線信号プロセッサ１２４及びＵＥＣＩ１３４の間に十分な隔離があるように中継装置１００が実施され、ポジティブ・フィードバック・ループがないようになる。十分な隔離を確保するために、任意のいくつかの知られている技術が使われてもよい。従って、動作中において、中継装置１００は一つ又は複数の移動無線通信装置１０８、１１０で受信された下りリンク信号の品質を最大化するために信号に対して重み付けを行い、信号の位相を調整し、信号を合成し及び増幅する。複数のアンテナ１１６、１１８によって受信された入力信号は所望の通信信号１１２及び不要な干渉信号１１４を含む。一般的に、各アンテナに到達する信号の組み合わせが異なるため、通信信号の構成要素が比較的に低いアンテナ出力に対して、通信信号の構成要素が比較的に高いアンテナ出力信号の振幅が増加する。他のアンテナ出力信号に対して、干渉信号のレベルが比較的に高いアンテナ出力信号の振幅は減少してもよい。上記技術の極端な一例を挙げると、アンテナ１１６が通信信号１１２のみを受信し、その他のアンテナ１１８が干渉信号１１４のみを受信したとしたら、アンテナ出力１２０のみが増幅され移動無線通信装置１０８、１１０に送信されるように、アンテナ出力１２０、１２２が重み付けされ合成されてもよい。
【００１８】
ここに説明した例において、中継装置１００はアンテナ出力信号に対してアナログ・デジタル処理を行わない。よって、デジタル・ベースバンド信号は、例えば、アナログ・デジタル変換器（ＡＤＣ（ａｎａｌｏｇ  ｄｉｇｉｔａｌ  ｃｏｎｖｅｒｔｅｒ））を使っても中継装置１００によって回復されない。そのような処理は費用、遅延時間及び情報の紛失を増やし得る。
【００１９】
中継装置１００は、従って、基地局１０４によって送信された通信信号を表す下りリンク信号１３２を送信する。受信した信号に対して重み付けを行い、合成し及び増幅することによって、移動無線通信装置１０８、１１０によって受信された通信信号より高い品質を有する下りリンク信号１３２は、基地局から送信されてもよい。
【００２０】
図３は基地局１０４並びに移動無線通信装置１０８、１１０の間の通信のための通信システム１０２に使われている通信周波数帯域３０２以外の信号品質フィードバック信号１２６、１２８の周波数スペクトル３００を示すグラフ図である。信号品質フィードバック信号１２６、１２８は、通信信号１１２及び処理済み下りリンク信号１３２の送信に使われている周波数帯域３０２と異なる周波数帯域３０４内に送信される。例えば、基地局に使われている第一周波数帯域３０２は、下りリンクの送信時には１９３０ＭＨｚから１９９０ＭＨｚまで及び上りリンクの送信時には１８５０ＭＨｚから１９１０ＭＨｚまでの直交波周波数変調（ОＦＤМ）の帯域であってもよく、第二周波数帯域３０４は２．４００ＧＨｚから２．４８３５ＧＨｚまでのＩＥＥＥ８０２．１１帯域であってもよい。
【００２１】
図４は信号を処理及び再送信する方法のフローチャートである。方法は異なる種類のシステム内の任意のハードウェア及びコードを使って行われてもよいが、図４に関連して説明される例においては、中継装置１００を使う通信システム１０２内で行われるものとする。
【００２２】
ステップ４０２では、無線信号が複数のアンテナ１１６、１１８を介して受信される。無線信号は通信信号（下りリンク信号）１１２及び不要な干渉信号１１４を含み、干渉信号１１４は、基地局１０４のセル内の移動無線通信装置１０８、１１０以外の移動装置に無線サービスを提供する近隣の基地局１０６から送信された下りリンク信号であってもよい。各アンテナ１１６、１１８は、受信した無線通信信号から派生したアンテナ出力信号１２０、１２２を提供する。
【００２３】
ステップ４０４では、アンテナ出力信号１２０、１２２が処理済み無線信号１３１を生成するために処理される。この例において、無線信号プロセッサ１２４は、信号を合成するために移動無線通信装置１０８、１１０から受信した信号品質フィードバック信号１２６、１２８を適用する。アンテナ出力信号１２０、１２２は処理済み無線信号１３１を生成するために複合重み付けされ（振幅及び位相が調整済み）、合成される。場合によって他の合成技術が使用されてもよいが、この例においては、合成は重み付けされた信号の加算である。上述のように、アンテナ出力信号１２０、１２２は復調又は下方変換されることなく処理される。
【００２４】
ステップ４０６では、処理済み無線信号１３１は処理済み下りリンク信号１３２として送信される。送信機２２０内の増幅器２２４が、一つ又は複数のアンテナ１３６を介しての送信の前に処理済み無線信号１３１を増幅する。
【００２５】
ステップ４０８では、信号品質フィードバック信号１２６、１２８は移動無線通信装置１０８、１１０から受信される。信号品質フィードバック信号１２６、１２８は移動無線通信装置１０８、１１０で受信された処理済み下りリンク信号１３２の品質を示す。信号品質フィードバック信号１２６、１２８は信号品質インジケータを含み、例えば、信号対雑音比（ＳＮＲ）、信号干渉雑音比（ＳＩＮＲ）、信号対干渉比（ＳＩＲ）、ビット誤り率（ＢＥＲ）又はこれらのパラメータの二つ以上の組み合わせであってもよい。信号品質フィードバック信号１２６、１２８は、移動無線通信装置１０８、１１０によって従来の技術に従って行われたチャネル推定の結果であってもよい。上記に説明したように、信号品質フィードバック信号１２６、１２８は、基地局１０４、１０６に使われている規格と異なる無線通信規格を使って送信される。また、信号品質フィードバック信号１２６、１２８は、処理済み下りリンク信号の送信のために使われている通信周波数帯域３０２以外で受信されてもよい。例えば、信号品質フィードバック信号１２６、１２８はＩＥＥＥ通信仕様又は規格に従って送信及び受信される。
【００２６】
明らかに、以上の説明を考慮すれば、本発明の他の態様及び修正は当業者にとって容易に行われるものである。上述の説明は例示であり、限定的なものではない。本発明は以下に述べる特許請求の範囲によって示すものであり、上述の明細書及び添付の図面と合わせて考慮した場合、そのような他の態様及び修正は全て特許請求の範囲に含まれる。従って、本発明の範囲は上述の説明によって定められるのではなく、添付の特許請求の範囲及びその均等物の全範囲によって定められるべきである。
【図１】
0005657842.tif 000002
【図２】
0005657842.tif 000003
【図３】
0005657842.tif 000004
【図４】
0005657842.tif 000005